(57)【特許請求の範囲】
【請求項１】
透明な棚板に透明なＥＬ素子を複数個、配置した発光棚板と、前記ＥＬ素子を点灯制御する制御部と、を備え、前記制御部は、前記ＥＬ素子を所定のパターンに従って個別に点灯制御することを特徴とする陳列棚。
【請求項２】
前記発光棚板の一方の面が鏡面とされていることを特徴とする請求項１に記載の陳列棚。
【請求項３】
前記ＥＬ素子は、柔軟性を有する基板を有するフレキシブルＥＬ素子シートであることを特徴とする請求項１又は請求項２に記載の陳列棚。
【発明の詳細な説明】
【技術分野】
【０００１】
本発明は、店舗等に設置される陳列棚に関する。
【背景技術】
【０００２】
従来から、商店等に設置される陳列棚の棚板には、塗装合板やポリ合板などの化粧合板が用いられている。このような陳列棚では、通常、陳列棚の装飾性を向上させるため、棚板を構成する合板等の表面に化粧印刷が施される。しかしながら、一般的な化粧印刷としては、木目柄や、メタリック塗装といったものが多く、これらは、顧客誘引力を高めるような、魅力に富んだ美観性のある陳列棚を実現するものとは言えなかった。
【０００３】
そこで、表面が光散乱処理された透明板状の導光板を棚板として用い、導光板の小口面にＬＥＤ等の光源を配置して導光板内へ光を投射すると共に、その光を散乱させることによって棚板を光らせることができる棚が知られている（例えば、特許文献１参照）。
【０００４】
【特許文献１】特開２００３−１５１３３７号公報
【発明の開示】
【発明が解決しようとする課題】
【０００５】
ところで、近年では、商品自体の魅力だけでなく、その商品をどのように陳列すれば商品の魅力を引き立て、顧客を誘引することができるかが重要になっている。しかしながら、上記特許文献１に記載された棚においては、棚板における光散乱処理が施された位置が発光するため、例えば、ある商品を棚板上に陳列した際に、この商品に顧客の視線を誘導するように、棚板の特定の箇所のみを光らせることができない。そのため、このものは、従来の化粧印刷が施された棚板に比べれば、美観性が高いと言えるが、棚板に陳列された商品を引き立て、顧客の購買意欲を掻き立てるほど魅力に富んだものではなかった。
【０００６】
本発明は、上記課題を解決するものであって、棚板の任意の位置を発光させることにより、陳列された商品を引き立てることができる陳列棚を提供することを目的とする。
【課題を解決するための手段】
【０００７】
上記課題を解決するため、本発明は、陳列棚において、透明な棚板に透明なＥＬ素子を複数個、配置した発光棚板と、前記ＥＬ素子を点灯制御する制御部と、を備え、前記制御部が、前記ＥＬ素子を所定のパターンに従って個別に点灯制御することを特徴とする。
【０００８】
また、上記陳列棚は、前記発光棚板の一方の面が鏡面とされていることが好ましい。
【０００９】
また、上記陳列棚は、前記ＥＬ素子が、柔軟性を有する基板を有するフレキシブルＥＬ素子シートであることが好ましい。
【発明の効果】
【００１０】
本発明の陳列棚によれば、複数のＥＬ素子を配置した発光棚板を備えたことにより、棚板の任意の位置を発光させることにより、陳列された商品を引き立てる照明をすることができる。
【図面の簡単な説明】
【００１１】
【図１】本発明の第１の実施形態に係る陳列棚の斜視図。
【図２】同陳列棚に用いられる発光棚板の一部分解斜視図。
【図３】同陳列棚に用いられるＥＬ素子が、複数のＥＬ素子（発光セル）を格子状に配置されて構成される例を示す斜視図。
【図４】同陳列棚に用いられるＥＬ素子の概略構成を示す側断面図。
【図５】同陳列棚を用いた店舗空間において、ＥＬ素子を全点灯させた状態を示す図。
【図６】同陳列棚の発光棚板に商品を陳列させたときの点灯パターンを例示する斜視図。
【図７】同陳列棚の発光棚板における変形例を示す一部分解斜視図。
【図８】同陳列棚の変形例を示す斜視図。
【図９】同陳列棚の更に別の変形例を示す斜視図。
【図１０】更に別の変形例における発光棚板の一部分解斜視図。
【発明を実施するための形態】
【００１２】
本発明の一実施形態に係る陳列棚について、図１乃至図６を参照して説明する。本実施形態の陳列棚１は、アパレルショップ等の店舗に設置されるものであり、図１及び図２に示すように、透明なＥＬ素子２を複数個、配置した発光棚板３と、ＥＬ素子２を点灯制御する制御部４と、を備える。また、陳列棚１は、脚部５を有して床面に対して垂直に立設された板状の支持部材６を有する。
【００１３】
支持部材６には、発光棚板３を水平に固定するための複数のホルダ部６１が設けられている。ホルダ部６１は、好ましくは、支持部材６の垂直方向に一定間隔に設けられており、複数の発光棚板３を任意の高さで固定できるように構成されている。このホルダ部６１には、発光棚板３に対して給電し、且つ点灯制御信号を送信するための給電端子部が設けられている（不図示）。また、脚部５近傍には、商用電源と接続するための給電手段が設けられている（不図示）。
【００１４】
なお、図示した例においては、制御部４が支持部材６の側部に設けられているが、制御部４の位置はこれに限られず、例えば、発光棚板３に設けられていてもよい。また、制御部４は、複数の発光棚板３毎に設けられてもよく、図示したような一つの陳列棚につき一つであってもよい。
【００１５】
制御部４は、発光棚板３の各ＥＬ素子２を点灯駆動させる駆動回路や、所定のアドレスが設定されたＥＬ素子２を所定の点灯パターンに基づいて点灯させるための出力値を決定し、それを駆動回路に実行させる演算部等を備える。また、制御部４には、好ましくは、外部入出力端子４１が設けられ、パソコンＰといった外部操作端末に接続可能とされる。すなわち、ユーザはパソコンＰを操作しながら、発光棚板３の点灯パターンや点灯時間等を設定することができる。
【００１６】
発光棚板３は、格子状に配置された複数個のＥＬ素子２が、対向する２枚の透明な板ガラス１０，１１に挟持された構成となっている。また、各ＥＬ素子２が個別に点灯制御されるように、ＩＴＯ（酸化インジウムスズ：インジウムチンオキサイド）等の透明な配線１２によって、直接又は間接的に制御部４の駆動回路に接続されている。各ＥＬ素子２間の間隔は、絶縁性を確保できる範囲において、なるべく狭く形成されることが望ましい。なお、この間隔に、例えば、光拡散材を含有した絶縁性樹脂膜が設けられてもよい。
【００１７】
板ガラス１０，１１には、支持部材６のホルダ部６１に係合するための凹部１３が設けられており、この凹部１３には、ホルダ部６１側の給電端子部と接続するための電極端子が設けられている（不図示）。この電極端子が配線１２と接続され、制御部４からの点灯制御信号を受けて、格子状に配置された複数個のＥＬ素子２が個別に点灯制御される。
【００１８】
ＥＬ素子２は、無機ＥＬ素子であってもよいが、素子の平面化に適した有機ＥＬ素子が好ましい。また、その形状は、５〜６００ｍｍ角、好ましくは５０〜１００ｍｍの略正方形形状の平面発光体である。一つのＥＬ素子２が、単体の発光パネルを構成するものであってもよいし、例えば、図３に示すように、１０ｍｍ角のＥＬ素子２ｃ（発光セル）を格子状に１００個設けることによって一つの発光パネルを構成するものであってもよい。後者の場合、セル単位で点灯制御されるように透明な配線のパターンニングが施されることが望ましい。また、その場合の駆動方式は、アクティブ型、パッシブ型のいずれであってもよい。
【００１９】
また、ＥＬ素子２は、図４に示すように、透光性を有する基板２２上に、発光部２３を形成し、その外側を封止材２４で被覆したものである。なお、ここでは、ＥＬ素子２が単体の発光パネルとして構成されている例を示すが、上述した図３のような複数のＥＬ素子２ｃにおいても、発光部のサイズや配線のパターンニング等の相違点を除き、基本的な構成は同じである。発光部２３は、透明導電膜から成る陽極２３ａ、発光機能を有する発光層２３ｂ、透光性を有する陰極２３ｃを、順に基板２２上に積層形成したものである。封止材２４は、透明な材料から構成され、各電極の一部が露出するように被覆され、これら電極の露出部は、直接又はリード線等を介して電極端子（不図示）に電気的に接続される。
【００２０】
基板２２は、ソーダライムガラスや無アルカリガラス等の透光性ガラスや、透光性樹脂材料等から成り、矩形板状に形成される。なお、発光棚板３を構成する板ガラス１１（図２参照）上に発光部２３等を形成してもよく、この場合、板ガラス１１が実質的な基板２２ということになる。
【００２１】
陽極２３ａは、発光層２３ｂにホールを注入するための電極であり、仕事関数の大きい金属、合金、導電性化合物又はこれらの混合物から成る電極材料が用いられ、好ましくは、仕事関数が４ｅＶ以上のものが用いられる。特に、ＩＴＯ、ＳｎＯ２（酸化スズ）、ＺｎＯ（酸化亜鉛）等の透光性の導電材料が好ましい。陽極２３ａは、これらの電極材料を、基板２２の表面に、例えば、真空蒸着法やスパッタリング法等の方法により成膜及びパターニングすることによって形成される。
【００２２】
発光層２３ｂは、所望の白色光を発光させ得る有機蛍光材料が用いられ、例えば、アントラセン、ナフタレン、ピレン、テトラセン、コロネン、ペリレン、フタロペリレン、ナフタロペリレン、ジフェニルブタジエン、テトラフェニルブタジエン、クマリン、オキサジアゾール、ビスベンゾキサゾリン、ビススチリル、シクロペンタジエン、キノリン金属錯体、トリス（８−ヒドロキシキノリナート）アルミニウム錯体、トリス（４−メチル−８−キノリナート）アルミニウム錯体、トリス（５−フェニル−８−キノリナート）アルミニウム錯体、アミノキノリン金属錯体、ベンゾキノリン金属錯体、トリ−（ｐ−ターフェニル−４−イル）アミン、１−アリール−２，５−ジ（２−チエニル）ピロール誘導体、ピラン、キナクリドン、ルブレン、ジスチルベンゼン誘導体、ジスチルアリーレン誘導体、及びこれらの発光性化合物から成る基を分子構造の一部に有する化合物、高分子材料、各種蛍光色素の混合材料等が用いられる。なお、図３に示したような複数のＥＬ素子２ｃによって一つの発光パネルが構成される場合、各ＥＬ素子２ｃがＲＧＢの異なる発光色となるように、適宜に蛍光体が選択されることが望ましい。
【００２３】
発光層２３ｂは、陽極２３ａの表面に上述した化合物を、例えば、真空蒸着法により成膜及びパターニングすることによって形成される。なお、発光層２３ｂは、複数の異なる材料が積層されたものであってもよく、これら複数層の間に電位を調整するためのバッファ層を介在させてもよい。
【００２４】
陰極２３ｃは、発光層２３ｂに電子を注入するための電極であり、陽極２３ａと同様に、ＩＴＯ、ＳｎＯ２、ＺｎＯ等の透光性の導電材料によって形成される。また、陰極２３ｃも陽極２３ａと同様の方法により形成される。なお、陽極２３ａ及び発光層２３ｂの間には、陽極２３ａから発光層２３ｂへのホール注入効果を促進するホール注入・輸送層（不図示）が設けられてもよい。また、発光層２３ｂ及び陰極２３ｃの間には、好ましくは、陰極２３ｃから発光層２３ｂへの電子注入効果を促進する電子注入・輸送層（図示せず）が設けられる。
【００２５】
このように構成されたＥＬ素子２においては、電極端子を介して所定の電力が供給されることにより、発光層２３ｂが発光する。発光した光は、陽極２３ａ及び陰極２３ｃを透過してＥＬ素子２外へ取り出され、発光棚板３から出射する。なお、ＥＬ素子２の発光面には、基板２２を傷や汚れ等から保護するため、アクリル樹脂等から成る保護層や、基板２２からの光取り出し効率を高めるための拡散層等が、透明性を損じない程度に設けられてもよい（不図示）。
【００２６】
次に、陳列棚１の作動例を説明する。ここでは、洋服や鞄等のアパレル商品を取り扱う店舗に陳列棚１が用いられた例を示す。制御部４（図１参照）は、例えば、図５に示すように、全ての発光棚板３のＥＬ素子２を点灯させる。こうすれば、店内において、陳列棚１が特に際立って見え、効果的に顧客をこの陳列棚１に陳列された商品に誘引することができる。しかも、発光棚板３の発光領域を広くすれば、陳列棚１が、実質的に店舗内の照明器具としても機能する。なお、ＥＬ素子２を全消灯させれば、陳列棚１は、透明な棚板を有する通常の陳列棚として使用することができる。
【００２７】
また、発光棚板３は、格子状に配置された複数個のＥＬ素子２を個別に所定のパターンで点灯制御できるように構成されているので、図６に示すように、例えば、陳列される商品Ｍの大きさや、配置に合わせて発光面積を調整することができる。特に、店舗の照明を暗く設定すれば、透明な棚板上に陳列された商品Ｍが、下方からの光によって浮かび上がるかのように照らし出され、この商品Ｍに対する顧客誘引力が高まる。また、上述した複数のＥＬ素子ｃ（図３参照）で発光パネルを構成し、それらを個別に点灯制御すれば、より細かな演出が可能となり、発光棚板３上に、例えば、文字や図形等を表示することができる。この場合、商品の価格やブランドロゴ等を表示してもよい。
【００２８】
また、発光棚板３のうち、商品が置かれた箇所のＥＬ素子２を消灯させてもよい。例えば、衣類のような、比較的大きな陳列面積を要する商品を点灯しているＥＬ素子２上に置くと、商品によって光が遮蔽されるので、発光ロスとなる。そこで、商品の陳列位置のＥＬ素子２を消灯させることにより、無駄な点灯を少なくすることができ、省エネになると共に、ＥＬ素子２からの熱から商品を保護することができる。
【００２９】
更に、発光棚板３における発光領域を、時間経過と共に変化させることにより、顧客のアイキャッチ効果を高めることができる。また、例えば、支持部材６に人感センサ（不図示）を設けて、顧客が近づいたときに、所定のＥＬ素子２を点灯させてもよい。
【００３０】
このように、本実施形態の陳列棚１は、複数のＥＬ素子２を配置した発光棚板を備えたことにより、棚板の任意の位置を発光させることにより、陳列された商品を引き立てる照明をすることができる。また、複数のＥＬ素子２を所定のパターンに従って個別に点灯制御することにより、この陳列棚１に陳列された商品の顧客誘引力をより高めることができる。
【００３１】
なお、図７に示す発光棚板４の変形例のように、ＥＬ素子２が、透明な棚板２１の裏面（作図上、上面に描いている）に配設されていてもよい。より具体的には、ＥＬ素子２の基板に柔軟性を有する樹脂シート２５を用い、この樹脂シート２５上に、所定寸法の発光部２３及び封止材２４（図４参照）を、複数個設けて、いわゆるフレキシブルＥＬ素子シート２６を作成する。このフレキシブルＥＬ素子シート２６を透明な棚板２１に貼着させて、これを発光棚板３としてもよい。こうすれば、ガラス製の棚板を有する既存の陳列棚に、本実施形態の陳列棚１と同様の機能を持たせることができる。
【００３２】
次に、本実施形態の変形例に係る陳列棚について、図８を参照して説明する。この陳列棚１は、発光棚板３の一方の面が鏡面とされているものである。具体的には、発光棚板３のいずれかの面に鏡面板２７が貼着されている。上述した実施形態においては、ＥＬ素子２は透明であり、これを挟持する板ガラス１０、１１も透明であるため、発光部２３からの光は、発光棚板３の上面及び下面の両方に出射される。一方、変形例に係る陳列棚１においては、発光棚板３のいずれかの面に鏡面板２７が貼着されているので、鏡面板２７が貼着された面に入射した光は、鏡面板２７で反射され、他方の面から出射される。そのため、発光ロスを少なくし、効果的に商品を照明することができる。なお、通常は、商品が置かれる発光棚板３の上面側から光が出射するように、発光棚板３の下面側に鏡面板２７が貼着されるが、例えば、最上段に設置された発光棚板３は、上面側に鏡面板２７を貼着することが望ましい。また、鏡面板２７は、図示したような板状部材に限らず、鏡面仕上げ塗装がなされたシート材料であってもよい。
【００３３】
次に、本実施形態の更に別の変形例に係る陳列棚について、図９及び図１０を参照して説明する。この陳列棚１は、発光棚板３の略中央部に貫通口３１が形成されており、支持部材６が、貫通口３１に挿通されているものである。この構成によれば、発光棚板３には、支持部材６を中心として３６０度に亘って商品を陳列することができ、また、ＥＬ素子を部分的に点灯させることにより、店内のイルミネーションとしても機能する。従って、この陳列棚１を店舗の中央部に設置すれば、特に高い顧客誘引力を発揮することができる。
【００３４】
なお、本発明は、上述の実施形態に限られることなく種々の変形が可能である。例えば、上述した本実施形態では、格子状に配置された複数のＥＬ素子２を個別にオンオフ制御して、発光棚板３全体における発光面積を変化させる例を示したが、制御部４が複数のＥＬ素子２の夫々の調光出力を制御するようにしてもよい。また、赤色、青色、黄色の３色を発光可能なＥＬ素子２を用い、制御部４が、これらの発光色を組み合わせて点灯制御することにより、例えば、様々なシチュエーションに応じて店舗空間の演色性を変化させるようにしてもよい。また、陳列棚１において、例えば、発光棚板３や支持部材６等の形状や仕様が、図例のものに限られないことは言うまでもない。
【符号の説明】
【００３５】
１    陳列棚
２    ＥＬ素子
３    発光棚板
４    制御部
２７    鏡面シート（鏡面）
【図１】
0005592717.tif 000002
【図２】
0005592717.tif 000003
【図３】
0005592717.tif 000004
【図４】
0005592717.tif 000005
【図５】
0005592717.tif 000006
【図６】
0005592717.tif 000007
【図７】
0005592717.tif 000008
【図８】
0005592717.tif 000009
【図９】
0005592717.tif 000010
【図１０】
0005592717.tif 000011